(57)【要約】【課題】  網点画像データを再生成することなく色調確認とモアレやムラ再現性の確認を行うことが可能なカラープルーフ作成装置、カラープルーフ作成システム及びプログラムを提供する。【解決手段】  このカラープルーフ作成装置は、網点画像データに基づいて光源から記録媒体に露光することでカラープルーフを作成し出力する際に、網点画像データを保存する網点画像データ保存部と、光源の露光強度情報を複数設定可能な露光強度情報設定部と、を備え、保存された網点画像データに基づいて、設定された複数の露光強度情報により自動的に色確認用及び検版用のカラープルーフを出力する。【選択図】  図７
2005094607.tif 000002
【特許請求の範囲】
【請求項１】
網点画像データに基づいて光源から記録媒体に露光することでカラープルーフを作成し出力するカラープルーフ作成装置であって、
前記網点画像データを保存する網点画像データ保存手段と、
前記光源の露光強度情報を複数設定可能な露光強度情報設定手段と、を備え、
前記網点画像データ保存手段に保存された前記網点画像データに基づいて前記露光強度情報設定手段に設定されて保存された複数の露光強度情報により自動的に複数枚出力することを特徴とするカラープルーフ作成装置。
【請求項２】
網点画像データを生成して出力する網点画像データ生成装置と、前記網点画像データ生成装置からの網点画像データに基づいて光源から記録媒体に露光することでカラープルーフを作成し出力するカラープルーフ作成装置と、から構成されるカラープルーフ作成システムであって、
前記カラープルーフ作成装置は、
前記網点画像データを保存する網点画像データ保存手段と、
前記光源の露光強度情報を複数設定可能な露光強度情報設定手段と、を備え、
前記網点画像データ生成装置は、
前記露光強度情報設定手段に設定された露光強度情報を複数指定することが可能な露光強度情報指定手段を備え、
前記カラープルーフ作成装置は前記網点画像データに基づいて前記網点画像データ生成装置の露光強度情報指定手段で指定された複数の露光強度情報により自動的に複数枚出力することを特徴とするカラープルーフ作成システム。
【請求項３】
網点画像データを生成して出力する網点画像データ生成装置と、前記網点画像データ生成装置からの網点画像データに基づいて光源から記録媒体に露光することでカラープルーフを作成し出力するカラープルーフ作成装置と、から構成されるカラープルーフ作成システムであって、
前記網点画像データ生成装置は、
網点画像データを生成するときにルックアップテーブルを参照して階調補正を行う階調補正手段と、
前記ルックアップテーブルを複数設定可能なルックアップテーブル設定手段と、を備え、
前記網点画像データ生成装置に入力された画像データに基づいて前記複数のルックアップテーブルにより複数版の網点画像データを生成して、前記各網点画像データを前記カラープルーフ作成装置に出力することを特徴とするカラープルーフ作成システム。
【請求項４】
網点画像データに基づいて光源から記録媒体に露光することでカラープルーフを作成し出力するカラープルーフ作成装置が備えるコンピュータのためのプログラムであって、
前記網点画像データを保存するステップと、
前記光源の露光強度情報を複数設定するステップと、
前記保存された網点画像データに基づいて前記設定されて保存された複数の露光強度情報により自動的に複数枚出力させるステップと、を前記コンピュータに実行させることを特徴とするプログラム。
【請求項５】
網点画像データに基づいてカラープルーフ作成装置で光源から記録媒体に露光することでカラープルーフを作成し出力するために、前記網点画像データを生成して前記カラープルーフ作成装置に出力する網点画像データ生成装置が備えるコンピュータのためのプログラムであって、
前記カラープルーフ作成装置側で複数設定された前記光源の露光強度情報を複数指定するステップと、
前記カラープルーフ作成装置が前記網点画像データに基づいて前記指定された複数の露光強度情報により複数枚出力するために、前記網点画像データを前記露光強度情報の指定情報とともに前記カラープルーフ作成装置に出力するステップと、を前記コンピュータに実行させることを特徴とするプログラム。
【請求項６】
網点画像データに基づいてカラープルーフ作成装置で光源から記録媒体に露光することでカラープルーフを作成し出力するために、前記網点画像データを生成して前記カラープルーフ作成装置に出力する網点画像データ生成装置が備えるコンピュータのためのプログラムであって、
階調補正のためにルックアップテーブルを複数設定するステップと、
前記網点画像データ生成装置に入力された画像データに基づいて前記複数のルックアップテーブルを参照して階調補正を行うことにより複数版の網点画像データを生成するステップと、
前記各網点画像データを前記カラープルーフ作成装置に出力するステップと、を前記コンピュータに実行させることを特徴とするプログラム。
【発明の詳細な説明】
【技術分野】
【０００１】
本発明は、網点画像データに基づいて光源から記録媒体に露光することでカラープルーフを作成するカラープルーフ作成装置、網点画像データを生成する網点画像データ生成装置を含むカラープルーフ作成システム及びプログラムに関するものである。
【背景技術】
【０００２】
網点画像データに基づいて波長の異なる複数の光源によって銀塩カラー感光材料を感光させてカラープルーフ（校正物）を作成するカラープルーフ作成装置において、印刷時のインクの色および／または印刷媒体の地色に応じて複数の光の強度組成を調節する調節手段を具備するカラープルーフ作成装置が提案されている（下記特許文献１参照）。これによって、より印刷物に近い色調のカラープルーフを得ることが可能となった。
【０００３】
一方、ルックアップテーブルによって多値画像データを所望の階調に補正しながら２値の網点画像データに変換する網点画像データ生成装置も提案されている（下記特許文献２参照）。
【０００４】
しかし、従来のカラープルーフ作成装置においては、色調を印刷物に合わせた露光強度でカラープルーフを生成すると、印刷物側のドットゲイン等のために網点再現性に違いを生じ、カラープルーフとして重要な検版の確認項目であるモアレやムラの再現性が実際の印刷物とは違ってしまう欠点がある一方、逆に、印刷物に網点の大きさを合わせてしまうと、色調が変わってしまい、色の確認ができなくなってしまう欠点があった。
【特許文献１】特開平１１−２０５６２２号公報
【特許文献２】特開２００２−１７６５５８公報
【特許文献３】特開平１０−２６４４６３号公報
【発明の開示】
【発明が解決しようとする課題】
【０００５】
本発明は、上述のような従来技術の問題に鑑み、網点画像データを再生成することなく色調確認とモアレやムラ再現性の確認を行うことが可能なカラープルーフ作成装置、カラープルーフ作成システム及びプログラムを提供することを目的とする。
【課題を解決するための手段】
【０００６】
上記目的を達成するために、本発明によるカラープルーフ作成装置は、網点画像データに基づいて波長の異なる複数の光源によって銀塩カラー感光材料を感光させてカラープルーフを作成し出力するカラープルーフ作成装置であって、前記網点画像データを保存する網点画像データ保存手段と、前記複数の光源の露光強度情報を複数設定可能な露光強度情報設定手段と、を備え、前記網点画像データ保存手段に保存された前記網点画像データに基づいて前記露光強度情報設定手段に設定されて保存された複数の露光強度情報により自動的に複数枚出力することを特徴とする。
【０００７】
このカラープルーフ作成装置によれば、網点画像データに基づいて複数の露光強度情報により自動的にカラープルーフを複数枚出力させることができるので、網点画像データを再生成することなく色調確認とモアレやムラ再現性の確認を行うことが可能となる。
【０００８】
本発明によるカラープルーフ作成システムは、網点画像データを生成して出力する網点画像データ生成装置と、前記網点画像データ生成装置からの網点画像データに基づいて波長の異なる複数の光源によって銀塩カラー感光材料を感光させてカラープルーフを作成し出力するカラープルーフ作成装置と、から構成されるカラープルーフ作成システムであって、前記カラープルーフ作成装置は、前記網点画像データを保存する網点画像データ保存手段と、前記複数の光源の露光強度情報を複数設定可能な露光強度情報設定手段と、を備え、前記網点画像データ生成装置は、前記露光強度情報設定手段に設定された露光強度情報を複数指定することが可能な露光強度情報指定手段を備え、前記カラープルーフ作成装置は前記網点画像データに基づいて前記網点画像データ生成装置の露光強度情報指定手段で指定された複数の露光強度情報により自動的に複数枚出力することを特徴とする。
【０００９】
このカラープルーフ作成システムによれば、網点画像データ生成装置で指定した複数の露光強度情報により網点画像データに基づいてカラープルーフ作成装置で自動的にカラープルーフを複数枚出力させることができるので、網点画像データを再生成することなく色調確認とモアレやムラ再現性の確認を行うことが可能となる。
【００１０】
本発明による別のカラープルーフ作成システムは、網点画像データを生成して出力する網点画像データ生成装置と、前記網点画像データ生成装置からの網点画像データに基づいて波長の異なる複数の光源によって銀塩カラー感光材料を感光させてカラープルーフを作成し出力するカラープルーフ作成装置と、から構成されるカラープルーフ作成システムであって、前記網点画像データ生成装置は、網点画像データを生成するときにルックアップテーブルを参照して階調補正を行う階調補正手段と、前記ルックアップテーブルを複数設定可能なルックアップテーブル設定手段と、を備え、前記網点画像データ生成装置に入力された画像データに基づいて前記複数のルックアップテーブルにより複数版の網点画像データを生成して、前記各網点画像データを前記カラープルーフ作成装置に出力することを特徴とする。
【００１１】
このカラープルーフ作成システムによれば、網点画像データ生成装置で複数のルックアップテーブルにより生成し出力した複数版の網点画像データに基づいてカラープルーフ作成装置で自動的にカラープルーフを複数枚出力させることができるので、網点画像データを再生成することなく色調確認とモアレやムラ再現性の確認を行うことが可能となる。
【００１２】
本発明によるプログラムは、網点画像データに基づいて波長の異なる複数の光源によって銀塩カラー感光材料を感光させてカラープルーフを作成し出力するカラープルーフ作成装置が備えるコンピュータのためのプログラムであって、前記網点画像データを保存するステップと、前記複数の光源の露光強度情報を複数設定するステップと、前記保存された網点画像データに基づいて前記設定されて保存された複数の露光強度情報により自動的に複数枚出力させるステップと、を前記コンピュータに実行させることを特徴とする。
【００１３】
このプログラムによれば、網点画像データに基づいて複数の露光強度情報により自動的にカラープルーフを複数枚出力させることができるので、網点画像データを再生成することなく色調確認とモアレやムラ再現性の確認を行うことが可能となる。
【００１４】
本発明による別のプログラムは、網点画像データに基づいてカラープルーフ作成装置で波長の異なる複数の光源によって銀塩カラー感光材料を感光させてカラープルーフを作成し出力するために、前記網点画像データを生成して前記カラープルーフ作成装置に出力する網点画像データ生成装置が備えるコンピュータのためのプログラムであって、前記カラープルーフ作成装置側で複数設定された前記複数の光源の露光強度情報を複数指定するステップと、前記カラープルーフ作成装置が前記網点画像データに基づいて前記指定された複数の露光強度情報により複数枚出力するために、前記網点画像データを前記露光強度情報の指定情報とともに前記カラープルーフ作成装置に出力するステップと、を前記コンピュータに実行させることを特徴とする。
【００１５】
このプログラムによれば、網点画像データ生成装置で指定した複数の露光強度情報により網点画像データに基づいてカラープルーフ作成装置で自動的にカラープルーフを複数枚出力させることができるので、網点画像データを再生成することなく色調確認とモアレやムラ再現性の確認を行うことが可能となる。
【００１６】
本発明による更に別のプログラムは、網点画像データに基づいてカラープルーフ作成装置で波長の異なる複数の光源によって銀塩カラー感光材料を感光させてカラープルーフを作成し出力するために、前記網点画像データを生成して前記カラープルーフ作成装置に出力する網点画像データ生成装置が備えるコンピュータのためのプログラムであって、階調補正のためにルックアップテーブルを複数設定するステップと、前記網点画像データ生成装置に入力された画像データに基づいて前記複数のルックアップテーブルを参照して階調補正を行うことにより複数版の網点画像データを生成するステップと、前記各網点画像データを前記カラープルーフ作成装置に出力するステップと、を前記コンピュータに実行させることを特徴とする。
【００１７】
このプログラムによれば、網点画像データ生成装置で複数のルックアップテーブルにより生成し出力した複数版の網点画像データに基づいてカラープルーフ作成装置で自動的にカラープルーフを複数枚出力させることができるので、網点画像データを再生成することなく色調確認とモアレやムラ再現性の確認を行うことが可能となる。
【００１８】
なお、上記カラープルーフ作成装置として、網点画像データに基づいて波長の異なる複数の光源によって銀塩カラー感光材料を感光させてカラープルーフを作成する画像形成装置、または、ドナーシートを受像シート上に重ね合わせた状態で網点画像データに基づいて各色版の画像データ毎に光ビームを照射してドナーシートからのインクを受像シートに転写するようにして面順次露光を行い受像シートにカラープルーフを作成する画像形成装置等を用いることができる。
【発明の効果】
【００１９】
本発明によれば、網点画像データを再生成することなく色調確認とモアレやムラ再現性の確認を行うことが可能なカラープルーフ作成装置、カラープルーフ作成システム及びプログラムを提供できる。
【発明を実施するための最良の形態】
【００２０】
以下、本発明を実施するための最良の形態について図面を用いて説明する。図１は各実施の形態のカラープルーフ作成システムの全体を概略的に示す図である。図２は図１のカラープルーフ作成装置の内部を正面側から見た図である。図３は図２のカラープルーフ作成装置のドラム及び光学ユニットを上部から見た要部平面図である。
【００２１】
図１に示すカラープルーフ作成システムは、印刷工場等における印刷の際に印刷出力対象の絵柄、色調、文章、文字等の確認を行うためのカラープルーフ（校正用サンプル）を作成するものであって、印刷工場のクライアント端末Ｃ１，Ｃ２，Ｃ３からＰＳ(PostScript)データをイーサネット(Ethernet)Ｅ等を介して受信した網点画像データ生成装置１００がＰＳデータ等の多値画像データに基づいて２値の網点画像データを生成して出力し、この網点画像データに基づいてカラープルーフ作成装置１が波長の異なる複数の光源によって銀塩カラー感光材料を感光させてカラープルーフを作成し出力する。
【００２２】
図２に示すように、本実施の形態によるカラープルーフ作成装置１は、カラープルーフを作成するために銀塩カラー感光材料（以下、単に「感光材料」または「感光紙」ともいう。）に露光し画像を形成する露光ユニット１１と、露光された感光材料を現像する現像ユニット２１と、を備える。
【００２３】
図２に示すように、カラープルーフ作成装置１の露光ユニット１１は、内部にロール状に巻かれたシート状感光材料である感光紙を収納した専用のカートリッジ１３を装填し収容する装填部１２，１２’と、装填部１２，１２’に装填されたカートリッジ１３から感光紙を給送する搬送ローラ対４０，４１，４２等からなる給送部１４と、給送部１４から給送された感光紙Ｓを外周面に真空吸引し保持しながら主走査のために回転方向Ｒに回転するドラム１０と、ドラム１０上の感光紙に対しＬＥＤ光等の光ビームを露光する光学ユニット１６と、光学ユニット１６を副走査のために副走査方向（図１の紙面垂直方向）Ｈ（図３）に搬送する副走査部１７と、画像記録後のドラム１０上の感光紙を剥離する剥離部材１５と、を備える。露光後の感光紙は出口１９及び接続部１９ａを通して現像ユニット２１へと搬送される。
【００２４】
図２のカラープルーフ作成装置１は、更に、搬送ローラ対４２の下流側に配置されドラム１０に向けて送られる感光紙の搬送に従い従動回転する従動ローラ３１と、感光紙をドラム１０との間で搬送する従動ローラ３１と、ドラム１０上から剥離部材１５で剥離された感光紙をドラム１０と従動ローラ３１とで搬送するときに感光紙をガイドするアキュームガイド部材１８と、アキュームガイド部材１８で送られてきた感光紙を出口１９へと更に搬送する搬送ローラ対３２と、搬送ローラ対３２に達した感光紙をアキュームするためにアキュームガイド部材１８の一部が開放されることで形成されるアキュームレート部３０と、搬送ローラ対３２の下流側近傍に配置された感光紙の先端を検出する検出センサ３３と、を備える。
【００２５】
また、搬送ローラ対４２の下流側近傍に配置された比較的幅狭の従動ローラ４３は記録紙の移動とともに従動回転し、この従動ローラ４３と同軸にロータリエンコーダ（図示省略）が連結されている。このロータリエンコーダが従動ローラ４３とともに回転し回転量を測定することで搬送ローラ対４２を通過して回転ドラム１０に巻き付けられた感光紙の長さを求めることができる。また、下流側の搬送ローラ対３２は、ワンウェイクラッチ構造を有し、感光紙の下流側への送り出し方向への回転が自在となっている。
【００２６】
図２の搬送ローラ対４０，４１の下流側近傍には感光紙を切断するカット部１０ａがそれぞれ配置されており、各カット部１０ａはモータ（図示省略）により回転駆動されるロータリカッタを有し、上述の感光紙の長さ測定に基づいて感光紙を所定長さに切断する。
【００２７】
図２の現像ユニット２１は、露光ユニット１１から送られた露光後の感光紙について湿式現像を行うもので、感光紙の現像処理を行う現像部２３と、定着処理を行う定着部２４と、安定処理を行う安定部２５と、乾燥処理を行う乾燥部２６と、乾燥された感光紙を搬送ローラ対２７ａ等で外部に排出する排出部２７と、を備える。
【００２８】
図３のように、カラープルーフ作成装置１のドラム１０は、回転軸部１４’の回転軸１４ａ及び回転軸部１８ａの回転軸１５ａが軸受３３ａ、３３ｂを介して支持台３４ａ、３４ｂに回転可能に軸支されている。ドラム１０の一方の回転軸１５ａには、駆動プーリ３５ａが設けられ、この駆動プーリ３５ａはドラム駆動用パルスモータＭ６の出力プーリ３５ｂとベルト３６により連結され、ドラム駆動用パルスモータＭ６の駆動によりドラム１０が回転する。また、ドラム１０の回転軸１５ａには、ロータリーエンコーダ３７が設けられ、回転のためのパルス信号を出力してドラムの回転に同期した画素クロック制御に用いる。
【００２９】
ドラム１０の他方の回転軸１４ａは吸引ブロアＰ１に連結されている。ドラム１０の表面には吸着孔３１ｃが回転軸方向に直線状に延びて多数形成されており、吸引ブロアＰ１の駆動によりドラム１０の内部が減圧されて感光紙がドラム１０の表面に吸着される。
【００３０】
光学ユニット１６は、副走査部１７によりドラム軸と平行に移動可能に構成され、ドラム１０に吸着された感光紙に光ビームで露光して画像の書き込みを行う。図３に示すように、光学ユニット１６には、異なる３波長の光源としてＬＥＤユニット３２０、ＬＥＤユニット３２１、ＬＥＤユニット３２２が配置されている。各ＬＥＤユニット３２０，３２１，３２２はそれぞれ複数チャンネル分の基板上に配置された発光ダイオード（ＬＥＤ）を備え、各ＬＥＤユニット３２０，３２１，３２２からの光ビームは、ミラー３２５、３２６、３２７を介して、集光レンズ３３１からドラム１０上の感光紙に画像を露光する。露光シャッタ３３２は露光ソレノイド３３３により開閉することで、露光開始／終了時に光路の開閉を行なう。
【００３１】
また、複数のＬＥＤユニット３２０，３２１，３２２は、例えば、それぞれ波長４５０ｎｍ程度のＢ（ブルー）、波長５４０ｎｍ程度のＧ（グリーン）、波長６５０ｎｍ程度のＲ（レッド）の各色を発光するように構成でき、各ＬＥＤユニットにより銀塩カラー感光材料を露光したとき、ＢによりＹ（イエロー）、ＲによりＭ（マゼンダ）、ＧによりＣ（シアン）がそれぞれ発色するようになる。
【００３２】
光学ユニット１６は、移動ベルト３４０に固定され、一対のガイドレール３４１、３４２に案内されてドラム軸と平行方向の副走査方向Ｈ及びその反対の方向Ｈ’に移動可能に設けられている。移動ベルト３４０は一対のプーリ３４３、３４４に掛け渡され、一方のプーリ３４４は副走査モータＭ７の出力軸３４５に連結され、副走査モータＭ７の駆動により光学ユニット１６がドラム軸と平行に副走査方向Ｈ、その反対の方向Ｈ’に移動する。
【００３３】
また、図３のように、回転ドラム１０の外周面のドラム軸と平行の延長上位置にはフォトダイオード等の受光素子からなる測光部５７が配置されており、図３のホームポジションの位置の光学ユニット１６が方向Ｈ’に若干移動し各ＬＥＤユニット３２０〜３２２からの光ビームが測光部５７に入射することで、各チャンネルの各ＬＥＤの光ビームの光量を測定できるようになっている。
【００３４】
図３に示すように、吸引ブロアＰ１は空気吸引ポンプにより吸引連結管５１’を通してドラム１０内を吸引し、露光ユニット１１による露光開始前にドラム１０内を負圧にし感光紙を外周面に吸着する。
【００３５】
〈第１の実施の形態〉
【００３６】
次に、図１の網点画像データ生成装置１００から入力した網点画像データに基づき第１の露光強度情報で色確認用の露光を行い、次に第２の露光強度情報で検版用の露光を行うようにした第１の実施の形態によるカラープルーフ作成装置について図４乃至図８を参照して説明する。
【００３７】
図４は図１〜図３のカラープルーフ作成装置１の露光ユニット１１における画像データの流れ及び制御系を示すブロック図である。図５は図４の露光ユニット１１の各光源の駆動系を示すブロック図である。図６は色確認用の第１の露光強度情報を得るための図４のルックアップテーブルを説明するためのグラフ（ａ）、及び検版用の第２の露光強度情報を得るための図４のルックアップテーブルを説明するためのグラフ（ｂ）である。図７は図４〜図６のカラープルーフ作成装置で色確認用のカラープルーフ出力及び検版用のカラープルーフ出力を得る流れを模式的に示す図である。図８は図４〜図７のカラープルーフ作成装置の動作を説明するためのフローチャートである。
【００３８】
図４に示すように、図３のカラープルーフ作成装置１では、カラープルーフを作成するためにＲＩＰ(Raster Image Processor)等の網点画像データ生成装置１００で図１のようにＰＳデータ等の多値画像データから２値の網点画像データを作成し、この網点画像データが網点画像データ生成装置１００から転送される。
【００３９】
カラープルーフ作成装置１は、図４のように、網点画像データ生成装置１００からの網点画像データが入力する画像データＩ／Ｆである画像入力部５１と、画像入力部５１からの網点画像データをいったん記憶し随時出力するハードディスク記憶装置等からなる網点画像データ保存部５２と、網点画像データ保存部５２からの網点画像データに基づいて感光紙に対する露光のための露光データを作成するルックアップテーブル（ＬＵＴ）５４と、を備える。
【００４０】
また、図５に示すように、上記ルックアップテーブル（ＬＵＴ）５４からの露光データのデジタル信号をアナログ信号に変換するＢ、Ｇ、Ｒの各ＬＥＤユニット３２０〜３２２に対応した複数のＤ／Ａ変換部５５ａ，５５ｂ，５５ｃと、Ｄ／Ａ変換部５５ａ〜５５ｃからの各アナログ信号により各ＬＥＤユニット３２０〜３２２の各ＬＥＤを直接にアナログ変調しドライブする複数のドライバ５６ａ，５６ｂ，５６ｃと、を備える。
【００４１】
更に、図４のように、カラープルーフ作成装置１は、画像入力部５１、網点画像データ保存部５２、ルックアップテーブル（ＬＵＴ）５４等を含めて装置全体の制御を行う中央演算処理装置（ＣＰＵ）５０と、ＬＵＴ５４において複数の露光強度情報を設定し保存する露光強度情報設定部であるメモリ５３と、各種情報を表示しかつ入力可能な入力部５５と、を備える。
【００４２】
図４のＬＵＴ５４は、例えば、印刷の基準色であるＹ（イエロー）、Ｍ（マゼンタ）、Ｃ（シアン）、Ｂ（ブルー）、Ｇ（グリーン）、Ｒ（レッド）、Ｋ（ブラック）、ＧＹ（グレイ）及びＷ（ホワイト）と、これらの基準色を感光材料に露光する光源の光であるＲ（レッド）、Ｇ（グリーン）、Ｂ（ブルー）の強度組成との対応を規定するデータとして入力値に対する出力値（露光強度）を記憶している。
【００４３】
即ち、ＬＵＴ５４は、図４のメモリ５３の露光強度情報設定部で図６（ａ）及び図６（ｂ）のような入力値に対する出力値（露光強度）の関係を持つ第１の露光強度情報及び第２の露光強度情報として設定され保存されている。
【００４４】
図６（ａ）の第１の露光強度情報は、入力値に対する出力値（露光強度）が１対１に対応するように構成されており、色確認用のカラープルーフを出力するように露光強度を決めている。
【００４５】
また、図６（ｂ）の第２の露光強度情報は、印刷物におけるドットゲイン等を再現するため入力値と出力値とが曲線的関係であり例えば入力値４０％に対し出力値（露光強度）が５０％になるように構成されており、検版用のカラープルーフを出力するように露光強度を決めている。
【００４６】
図７のように、図４のカラープルーフ作成装置１は、図１の網点画像データ生成装置１００から入力し網点画像データ保存部５２に保存されたＣ版、Ｍ版、Ｙ版、Ｋ版の各網点画像データに基づいて図６（ａ）の第１の露光強度情報により色確認用の露光を行い、色確認用のカラープルーフを出力するとともに、同じ各版の網点画像データに基づいて図６（ｂ）の第２の露光強度情報により検版用の露光を行い、検版用のカラープルーフを出力するようになっている。
【００４７】
なお、検版とは、印刷工場において画像データからインクで印刷物を印刷するときに使用するＰＳ版プレートをチェックする工程を指し、その１つとしてカラープルーフ（校正物）においてモアレやムラをチェックする。従って、カラープルーフに対し、印刷物におけるモアレやムラの再現性が要求される。
【００４８】
次に、図１のカラープルーフ作成システムにおける図１乃至図７のカラープルーフ作成装置１の動作について図８のフローチャートを参照して説明する。
【００４９】
図１のように、印刷工場のクライアント端末Ｃ１，Ｃ２，Ｃ３からＰＳデータを受信した網点画像データ生成装置１００がＰＳデータに基づいて網点画像データを生成して出力し、この網点画像データがカラープルーフ作成装置１に入力し（Ｓ０１）、網点画像データ保存部５２に保存する（Ｓ０２）。
【００５０】
一方、図６（ａ）、（ｂ）のような複数の露光強度情報を例えばルックアップテーブルとして図４のメモリ５３に例えば入力部５５から設定し保存しておく（Ｓ０３）。
【００５１】
次に、保存された網点画像データに基づいてカラープルーフを作成するとき、図６（ａ）のような色確認用の第１の露光強度情報を図４のＬＵＴ５４として露光データを得て露光を行う（Ｓ０４）。そして、露光済みの感光材料が搬送され現像ユニット２１で現像処理され（Ｓ０５）、画像形成がされた感光材料が色確認用カラープルーフとして出力する（Ｓ０６）。
【００５２】
次に、上述と同じ保存された網点画像データに基づいて図６（ｂ）のような検版用の第２の露光強度情報を図４のＬＵＴ５４として露光データを得て別の露光を行ってから（Ｓ０７）、露光済みの感光材料が搬送され現像ユニット２１で現像処理され（Ｓ０８）、画像形成がされた感光材料が検版用カラープルーフとして出力する（Ｓ０９）。
【００５３】
上述のようなカラープルーフ作成装置１が動作するときの各ステップは、図４のＣＰＵ５０の制御により、ハードディスク記憶装置等の記憶部に格納されたプログラムが読み出され、このプログラムに従って実行される。
【００５４】
以上のように、図１乃至図８のカラープルーフ作成装置によれば、複数の露光強度情報を設定することで、色確認用と検版用を含む複数枚のカラープルーフを自動的に出力することができるので、網点画像データを再生成することなく色調確認とモアレやムラ再現性の確認とを効率的に行うことができる。
【００５５】
〈第２の実施の形態〉
【００５６】
次に、図１のカラープルーフ作成システムにおいて網点画像データ生成装置側でカラープルーフ作成装置側の露光強度情報を指定できるようにした第２の実施の形態について図９及び図１０を参照して説明する。
【００５７】
図９は第２の実施の形態のカラープルーフ作成システムにおいて網点画像データ生成装置及びカラープルーフ作成装置における画像データの流れ及び制御系を示すブロック図である。
【００５８】
図９に示すように、第２の実施の形態による網点画像データ生成装置１０１は、図１のように印刷工場のクライアント端末Ｃ１，Ｃ２，Ｃ３からイーサネットＥを介してＰＳデータが入力するネットワークＩ／Ｆ部７１と、ネットワークＩ／Ｆ部７１からのＰＳデータをいったん記憶し随時出力するハードディスク記憶装置等からなるデータ保存部７２と、データ保存部７２からのＰＳデータに基づいて網点画像データを生成するとともに装置全体を制御する中央演算処理装置（ＣＰＵ）７０と、網点画像データをカラープルーフ作成装置１に出力する画像出力部７４と、を備える。なお、図９のカラープルーフ作成装置１は図４、図５と同様に構成されている。
【００５９】
図９の網点画像データ生成装置１０１のＣＰＵ７０は、網点画像データを生成する網点画像データ生成部と、図９のカラープルーフ作成装置１のメモリ５３で設定した複数の露光強度情報の内の複数の露光強度情報を指定する露光強度情報指定部と、を備える。
【００６０】
図９の網点画像データ生成装置１０１は、カラープルーフ作成装置１側で設定した複数の露光強度情報を指定し、生成した網点画像データとともにカラープルーフ作成装置１に出力し、カラープルーフ作成装置１は、網点画像データ生成装置１０１で指定した複数の露光強度情報により網点画像データに基づいて図６（ａ）、（ｂ）、図７と同様にして自動的に色確認用カラープルーフ及び検版用カラープルーフを出力させる。
【００６１】
次に、図９のカラープルーフ作成システムの動作について図１０のフローチャートを参照して説明する。
【００６２】
まず、図１のように、印刷工場のクライアント端末Ｃ１，Ｃ２，Ｃ３からＰＳデータを図９の網点画像データ生成装置１０１が受信すると、そのＰＳデータに基づいてＣＰＵ７０の網点画像データ生成部が網点画像データを生成する（Ｓ１１）。
【００６３】
次に、カラープルーフ作成装置１側で設定した図６（ａ）の第１の露光強度情報及び図６（ｂ）の第２の露光強度情報を指定する（Ｓ１２）。そして、この露光強度情報を指定した指定情報とともに生成した網点画像データを画像出力部７４からカラープルーフ作成装置１に出力する（Ｓ１３）。
【００６４】
次に、カラープルーフ作成装置１では、網点画像データ保存部５２で保存した網点画像データに基づいて、図６（ａ）のような色確認用の第１の露光強度情報を図９のＬＵＴ５４として露光データを得て露光を行う（Ｓ１４）。そして、露光済みの感光材料が搬送され現像ユニット２１で現像処理され（Ｓ１５）、画像形成がされた感光材料が色確認用カラープルーフとして出力する（Ｓ１６）。
【００６５】
次に、上述と同じ保存された網点画像データに基づいて図６（ｂ）のような検版用の第２の露光強度情報を図９のＬＵＴ５４として露光データを得て別の露光を行ってから（Ｓ１７）、露光済みの感光材料が搬送され現像ユニット２１で現像処理され（Ｓ１８）、画像形成がされた感光材料が検版用カラープルーフとして出力する（Ｓ１９）。
【００６６】
上述のような網点画像データ生成装置１０１が動作するときの各ステップは、図９のＣＰＵ７０の制御により、ハードディスク記憶装置等の記憶部に格納されたプログラムが読み出され、このプログラムに従って実行される。
【００６７】
以上のように、図９，図１０のカラープルーフ作成システムによれば、カラープルーフ作成装置１で設定した複数の露光強度情報を網点画像データ生成装置１０１が指定することで、色確認用と検版用を含む複数枚のカラープルーフを自動的に出力することができるので、網点画像データを再生成することなく色調確認とモアレやムラ再現性の確認とを効率的に行うことができる。
【００６８】
〈第３の実施の形態〉
【００６９】
次に、図１のカラープルーフ作成システムにおいて網点画像データ生成装置側で複数のルックアップテーブルを用いて複数版の網点画像データを生成して出力するようにした第３の実施の形態について図１１及び図１２を参照して説明する。
【００７０】
図１１は第３の実施の形態のカラープルーフ作成システムにおいて網点画像データ生成装置及びカラープルーフ作成装置における画像データの流れ及び制御系を示すブロック図である。
【００７１】
図１１に示すように、第３の実施の形態による網点画像データ生成装置１０２は、図９と同様に構成されているが、複数のルックアップテーブルを参照して階調補正を行うことで複数版の網点画像データを生成するようにした点が異なる。
【００７２】
即ち、図１１の網点画像データ生成装置１０２は、ルックアップテーブル参照部（ＬＵＴ）７５と、複数のルックアップテーブルを保存するメモリ７３と、を備え、ＣＰＵ７５はメモリ７３からＬＵＴ７５に対し階調補正のためにルックアップテーブルを複数設定させ、網点画像データ生成装置１０２にクライアント端末Ｃ１，Ｃ２，Ｃ３から入力したＰＳデータに基づいてＬＵＴ７５で設定した複数のルックアップテーブルを参照しながら階調補正を行うことにより複数版の網点画像データを生成するようになっている。
【００７３】
図１１のＬＵＴ７５における複数のルックアップテーブルは、検版用に設定されたものと、色確認用に設定されたものとを含む。なお、この各ルックアップテーブルは、図６（ａ）、（ｂ）と同様の考えで構成できる。また、図１１のカラープルーフ作成装置１は図４、図５と同様に構成されているが、露光強度情報設定部としてのメモリ５３は省略できる。
【００７４】
次に、図１１のカラープルーフ作成システムの動作について図１２のフローチャートを参照して説明する。
【００７５】
まず、図１１のＣＰＵ５０によりＬＵＴ７５において色確認用及び検版用の複数のルックアップテーブルを設定する（Ｓ２１）。そして、図１のように、印刷工場のクライアント端末Ｃ１，Ｃ２，Ｃ３からＰＳデータが図１１の網点画像データ生成装置１０２に入力すると（Ｓ２２）、ＬＵＴ７５の色確認用及び検版用の複数のルックアップテーブルを参照して色確認用及び検版用の複数版の網点画像データを生成する（Ｓ２３）。
【００７６】
次に、図１１の網点画像データ生成装置１０２は色確認用及び検版用の複数版の網点画像データを色確認用の網点画像データを画像出力部７４を介してカラープルーフ作成装置１に出力する（Ｓ２４）。
【００７７】
次に、カラープルーフ作成装置１は、上記複数版の網点画像データを網点画像データ保存部５２で保存してから、色確認用の網点画像データに基づいて露光を行う（Ｓ２５）。そして、露光済みの感光材料が搬送され現像ユニット２１で現像処理され（Ｓ２６）、画像形成がされた感光材料が色確認用カラープルーフとして出力する（Ｓ２７）。
【００７８】
次に、保存された検版用の網点画像データに基づいて別の露光を行ってから（Ｓ２８）、露光済みの感光材料が搬送され現像ユニット２１で現像処理され（Ｓ２９）、画像形成がされた感光材料が検版用カラープルーフとして出力する（Ｓ３０）。
【００７９】
上述のような網点画像データ生成装置１０２が動作するときの各ステップは、図９のＣＰＵ７０の制御により、ハードディスク記憶装置等の記憶部に格納されたプログラムが読み出され、このプログラムに従って実行される。
【００８０】
以上のように、図１１，図１２のカラープルーフ作成システムによれば、網点画像データ生成装置１０２において色確認用に設定されたルックアップテーブル及び検版用に設定されたルックアップテーブルにより生成した色確認用及び検版用の複数版の網点画像データに基づいてカラープルーフ作成装置１で色確認用と検版用を含む複数枚のカラープルーフを自動的に出力することができるので、網点画像データを再生成することなく色調確認とモアレやムラ再現性の確認とを効率的に行うことができる。
【００８１】
以上のように本発明を実施するための最良の形態について説明したが、本発明はこれらに限定されるものではなく、本発明の技術的思想の範囲内で各種の変形が可能である。例えば、図４のメモリ５３では、図６（ａ）、（ｂ）のように、２つの露光強度情報を設定し保存するようにしたが、本発明はこれに限定されず、３以上の露光強度情報を設定・保存し、場合によって使い分けるようにしてもよい。また、図１１のメモリ７３に３以上のルックアップテーブルを保存し、ＬＵＴ７５にその中から任意のルックアップテーブルを設定できるようにしてもよい。
【００８２】
また、カラープルーフ作成装置は、上述のような波長の異なる複数の光源によってＲＧＢの各光ビームで銀塩カラー感光材料を露光し感光させる画像記録装置に限定されずに、例えば、順次、ドナーシートを受像シート上に重ね合わせ、重ね合わせた状態で、Ｃ、Ｍ、Ｙ、Ｋの各色版の画像データ毎に光ビームを照射することにより、ドナーシートからのインクを受像シートに転写し、光ビームを照射されたドナーシートを排出するようにして面順次露光を行い、受像シートに画像を形成するように構成してもよく、例えば、上記特許文献３（特開平１０−２６４４６３号公報）で本出願人が提案した画像記録装置から構成できる。
【図面の簡単な説明】
【００８３】
【図１】各実施の形態によるカラープルーフ作成システムの全体を概略的に示す図である。
【図２】図１のカラープルーフ作成装置の内部を正面側から見た図である。
【図３】図２のカラープルーフ作成装置のドラム及び光学ユニットを上部から見た要部平面図である。
【図４】図１〜図３のカラープルーフ作成装置１の露光ユニット１１における画像データの流れ及び制御系を示すブロック図である
【図５】図４の露光ユニットの各光源の駆動系を示すブロック図である。
【図６】色確認用の第１の露光強度情報を得るための図４のルックアップテーブルを説明するためのグラフ（ａ）、及び検版用の第２の露光強度情報を得るための図４のルックアップテーブルを説明するためのグラフ（ｂ）である。
【図７】図４〜図６のカラープルーフ作成装置で色確認用のカラープルーフ出力及び検版用のカラープルーフ出力を得る流れを模式的に示す図である。
【図８】図４〜図７のカラープルーフ作成装置の動作を説明するためのフローチャートである。
【図９】第２の実施の形態のカラープルーフ作成システムにおいて網点画像データ生成装置及びカラープルーフ作成装置における画像データの流れ及び制御系を示すブロック図である。
【図１０】図９のカラープルーフ作成システムの動作を説明するためのフローチャートである。
【図１１】第３の実施の形態のカラープルーフ作成システムにおいて網点画像データ生成装置及びカラープルーフ作成装置における画像データの流れ及び制御系を示すブロック図である。
【図１２】図１１のカラープルーフ作成システムの動作を説明するためのフローチャートである。
【符号の説明】
【００８４】
１ カラープルーフ作成装置
１１ 露光ユニット
２１ 現像ユニット
５０ ＣＰＵ
５１ 画像入力部
５２ 網点画像データ保存部
５３ メモリ
５４ ルックアップテーブル（ＬＵＴ）
５５ 入力部
７０ ＣＰＵ
７２ データ保存部
７３ メモリ
７５ ルックアップテーブル参照部（ＬＵＴ）
１００ 網点画像データ生成装置
１０１ 網点画像データ生成装置
１０２ 網点画像データ生成装置
３２０，３２１，３２２ ＬＥＤユニット（複数の光源）
【図１】
2005094607.tif 000003
【図２】
2005094607.tif 000004
【図３】
2005094607.tif 000005
【図４】
2005094607.tif 000006
【図５】
2005094607.tif 000007
【図６】
2005094607.tif 000008
【図７】
2005094607.tif 000009
【図８】
2005094607.tif 000010
【図９】
2005094607.tif 000011
【図１０】
2005094607.tif 000012
【図１１】
2005094607.tif 000013
【図１２】
2005094607.tif 000014